(57)【要約】【課題】閉鎖フラップ装置が、少ない構成部材で簡単に構成され、組付けしやすく、しかも閉鎖位置で確実に正確に位置決め可能であるようにする。【解決手段】閉鎖フラップ３に旋回軸線７に対して平行に突設部８が配置されており、この突設部８は、閉鎖フラップの旋回により旋回軸線７に対して同心的な円軌道上を運動可能であり、プレロードをかけられたばねによって旋回軸線７に対して横方向で力負荷されており、ばねに最も負荷がかかっていない場合、閉鎖フラップ３が閉鎖位置にあり、該閉鎖フラップ３が閉鎖位置から変位する場合、ばねが突設部８によって応力が高められるように負荷されるようにした。【選択図】図１
2007220275.tif 000002
【特許請求の範囲】
【請求項１】
閉鎖フラップ装置であって、該閉鎖フラップ装置にデータ装置のケーシング内でデータ媒体のための挿入開口を閉鎖するための閉鎖フラップが設けられており、該閉鎖フラップは、互いに向かい合う縁部領域で互いに同軸的に突出している旋回ピンを備えており、該旋回ピンは、データ装置のケーシングの固定部分に設けられた対応する支承切欠き内で旋回可能に支承されており、閉鎖フラップが、位置決め手段により規定された閉鎖位置から、ばね力に抗して開放位置へと旋回ピンにより規定された旋回軸線を中心に旋回可能である形式のものにおいて、閉鎖フラップ（３）に旋回軸線（７）に対して平行に突設部（８）が配置されており、該突設部（８）は、閉鎖フラップ（３）の旋回により旋回軸線（７）に対して同心的な円軌道上を運動可能であり、プレロードをかけられたばねによって旋回軸線（７）に対して直交する横方向で力負荷されており、ばねに最も負荷がかかっていない場合、閉鎖フラップ（３）が、閉鎖位置にあり、該閉鎖フラップ（３）が閉鎖位置から変位する場合、ばねが、突設部（８）によって応力が高められるように負荷されることを特徴とする、閉鎖フラップ装置。
【請求項２】
突設部（８）が、旋回ピン（６）と一体に形成されており、旋回ピン（６）のずらされた軸線方向の延長部である、請求項１記載の閉鎖フラップ装置。
【請求項３】
旋回ピン（６）が、挿入開口（２）を有している、ケーシングと結合可能なフラップホルダフレーム（１）に旋回可能に支承されている、請求項１または２記載の閉鎖フラップ装置。
【請求項４】
前記ばねが、その一方の端部領域で不動に配置された板ばね（９，９′）であって、該板ばね（９，９′）が、その他方の自由な端部領域で、プレロードにより突設部（８）に当て付けられている、請求項１から３までのいずれか１項記載の閉鎖フラップ装置。
【請求項５】
前記ばねが、その一方の端部領域でケーシングまたはフラップホルダフレーム（１）に不動に配置されている、請求項１から３までのいずれか１項記載の閉鎖フラップ装置。
【請求項６】
板ばね（９）が金属から成る、請求項１から５までのいずれか１項記載の閉鎖フラップ装置。
【請求項７】
板ばね（９′）がプラスチックから成る、請求項１から５までのいずれか１項記載の閉鎖フラップ装置。
【請求項８】
ケーシングまたはフラップホルダフレーム（１）が、プラスチック部材、特にプラスチック射出成形部材である、請求項１から７までのいずれか１項記載の閉鎖フラップ装置。
【請求項９】
板ばね（９）が、包埋成形によりケーシングまたはフラップホルダフレーム（１）に不動に配置されている、請求項６または８記載の閉鎖フラップ装置。
【請求項１０】
板ばね（９′）が、射出成形によりケーシングまたはフラップホルダフレーム（１）に固着されている構成部材である、請求項７または８記載の閉鎖フラップ装置。
【請求項１１】
支承切欠き（４）が、ばね力（１１）の方向とは反対方向に開放された支承切欠き（４）であって、該支承切欠き（４）の底部（５）に対して旋回ピン（６）が、単数または複数のばねによって当て付けられるように負荷可能である、請求項１から１０までのいずれか１項記載の閉鎖フラップ装置。
【請求項１２】
突設部（８）が、平坦な負荷面（１０）を有しており、該負荷面（１０）にばねが当て付けられており、負荷面（１０）が、閉鎖フラップ（３）の閉鎖位置においてばねの力方向（１１）に対して垂直に延びている、請求項１から１１までのいずれか１項記載の閉鎖フラップ装置。
【発明の詳細な説明】
【技術分野】
【０００１】
本発明は閉鎖フラップ装置であって、この閉鎖フラップ装置にデータ装置のケーシング内でデータ媒体のための挿入開口を閉鎖するための閉鎖フラップが設けられており、この場合、閉鎖フラップは、互いに向かい合う縁部領域で互いに同軸的に突出している旋回ピンを備えており、この旋回ピンは、データ装置のケーシングの固定部分に設けられた対応する支承切欠き内で旋回可能に支承されており、この場合、閉鎖フラップが、位置決め手段によって規定された閉鎖位置から、ばね力に抗して開放位置へと旋回ピンにより規定された旋回軸線を中心に旋回可能である形式のものに関する。
【背景技術】
【０００２】
このような形式の閉鎖フラップ装置では、閉鎖フラップが、２つのばねにより互いに逆方向で力負荷されており、閉鎖フラップの閉鎖位置において、ばねの互いに相反する力が同じ大きさであるということが公知である。
【０００３】
閉鎖位置を規定するためには、閉鎖フラップが騒音を生ぜしめるように衝突する恐れのあるストッパは設けられない。
【０００４】
この公知の装置では、ばねの力均衡が閉鎖フラップの規定された閉鎖位置にちょうどあるように、ばねを正確に調整する必要がある。
【０００５】
したがって、互いに正反対に作用するばねは、組付け時に取り違えられたり損壊されたりすることは許されず、または全く組み付けられないことは許されない。さらに、多数のばねにより組付けコストは高い。
【発明の開示】
【発明が解決しようとする課題】
【０００６】
したがって、本発明の課題は、冒頭で述べた形式の閉鎖フラップ装置を改良して、少ない構成部材で簡単に構成され、組付けやすく、しかも閉鎖位置で確実に精確に位置決め可能なものを提供することである。
【課題を解決するための手段】
【０００７】
この課題を解決するために本発明の構成では、閉鎖フラップに旋回軸線に対して平行に突設部が配置されていて、この突設部が、閉鎖フラップの旋回により旋回軸線に対して同心的な円軌道上を運動可能であり、プレロードをかけられたばねによって旋回軸線に対して直交する横方向で力負荷されており、ばねに最も負荷がかかっていない場合、閉鎖フラップは閉鎖位置にあり、閉鎖フラップが閉鎖位置から変位する場合、ばねは突設部によって応力が高められるように負荷されるようにした。
【発明の効果】
【０００８】
有利には、この場合、突設部は旋回ピンと一体に形成されており、旋回ピンのずらされた軸線方向の延長部である。
【０００９】
単数または複数の突設部が１つのばねにより負荷されるだけなので、組付けコストおよび構成部材コストは僅かである。
【００１０】
閉鎖位置は、単数または複数の突設部が、その運動円軌道上を、ばねのばね力による負荷が最も僅かである位置に旋回させられていることにより規定される。旋回方向に関係なく、この閉鎖位置から旋回することにより、ばね力は常に増大し、これにより、閉鎖フラップが負荷されていない場合には、閉鎖フラップは必然的にその閉鎖位置に旋回し、そこで保持もされる。
【００１１】
不動のストッパとの騒音を生ぜしめるような衝突が同時に回避される。なぜならば、そのようなストッパは、閉鎖位置の規定には必要ないからである。
【００１２】
閉鎖位置の占有は、ばねの力の大きさには関係していないので、ばねの狭い力許容誤差を遵守する必要はない。
【００１３】
旋回ピンが、挿入開口を有している、ケーシングと結合可能なフラップホルダフレームに旋回可能に支承されている場合、１つの構成群として組付けやすい前組付けが可能になる。
【００１４】
簡単な構成では、ばねは、その一方の端部領域で不動に配置された板ばねであってよい。この板ばねは、他方の自由な端部領域で、プレロードにより突設部に当て付けられている。
【００１５】
この場合、ばねは、その一方の端部領域で、ケーシングまたはフラップホルダフレームに不動に配置することができる。
【００１６】
板ばねを廉価に構成するための可能性は、板ばねが金属から成っているということにある。
【００１７】
板ばねがプラスチックから成っていても同様に有利である。
【００１８】
ケーシングまたはフラップホルダフレームは、プラスチック部材、特にプラスチック射出成形部材であってよい。
【００１９】
この場合、特別な組付け作業を省いて、板ばねを包埋成形によりケーシングまたはフラップホルダフレームに不動に配置することができる。
【００２０】
組付けコストのさらなる削減は、板ばねが、射出成形によりケーシングまたはフラップホルダフレームに固着される構成部材であることにより達成可能である。
【００２１】
支承切欠きが、その底部に対して旋回ピンを単数または複数のばねにより当て付けて負荷可能である、ばね力の方向とは反対方向に開放された支承切欠きであると、閉鎖フラップを組み付けるためには、旋回ピンを開放した支承切欠き内にただ取り付けるだけでよい。支承切欠き内での旋回ピンの保持は、ばねによって行われる。
【００２２】
特に、ばねを両突設部に配置する場合には、旋回ピンは常にチャタリング無しに支承切欠きの底部に当て付けられて保持される。
【００２３】
閉鎖位置での特に確実なロックは、突設部が平坦な負荷面を有していて、この負荷面にばねが当て付けられており、この構成で負荷面が、閉鎖フラップの閉鎖位置においてばねの力方向に対して直角に延びていることにより達成される。
【発明を実施するための最良の形態】
【００２４】
本発明を実施するための最良の形態を図面につき詳しく説明する。
【００２５】
図示の閉鎖フラップ装置は、方形の挿入開口２を備えたフラップホルダフレーム１を有している。
【００２６】
この挿入開口２により、たとえばＭＤ（Ｍｉｎｉｄｉｓｋ）のようなデータ媒体を、たとえばＭＤプレイヤのようなデータ装置のケーシング内に挿入することができる。
【００２７】
挿入開口２は、通常、閉鎖フラップ３により閉鎖されていて、この閉鎖フラップ３は、データ媒体を挿入するためだけに開かれる。
【００２８】
このために、フラップホルダフレーム１には挿入開口２の両側の上方領域において、長孔状の支承切欠き４が形成されている。これらの支承切欠き４は、データ媒体の挿入方向で延びており、一方の端部には開放した口を有している。
【００２９】
支承切欠き４の閉じられた端部の底部５は、半円形の輪郭を有している。
【００３０】
閉鎖フラップ３は、その上側の端部において支承切欠き４の幅と同じ直径の側方に突出している旋回ピン６を有している。この旋回ピン６は旋回軸線７に沿って延びており、この旋回軸線７を中心にして、組み付けられた状態で閉鎖フラップ３は旋回可能である。
【００３１】
閉鎖フラップ３を挿入開口２に軸線方向で取り付ける際には、同時に、両旋回ピン６は支承切欠き４の底部５に当て付けられるまで挿入される。
【００３２】
両旋回ピン６は、オフセット部としてそれぞれ１つの突設部８を有している。これらの突設部８は、旋回軸線７に対して平行に延びており、閉鎖フラップ３の旋回により、旋回軸線７に対して同心的な円軌道上を運動可能である。
【００３３】
フラップホルダフレーム１の下方領域における、挿入開口２の端部領域の側方にはそれぞれ板ばね９，９′が不動に配置されている。これらの板ばね９，９′は、突設部８に向かってほぼ円弧を成して延びており、ここでこれらの板ばね９，９′は、その自由端部領域で、プレロード、つまり予備荷重によって、旋回ピン６が支承切欠き４の底部５に押しつけられるように、平坦な負荷面１０に当て付けられている。
【００３４】
板ばね９，９′のばね力は、旋回軸線７に対して直角に突設部８の負荷面１０に向けられており、これにより、閉鎖フラップ３が力負荷されていない場合には、突設部８は板ばね９，９′により、ばね力方向１１で最も大きく変位した位置に移動する。この位置では板ばね９，９′のプレロードは最も僅かであり、閉鎖フラップ３はその閉鎖位置にある。
【００３５】
図１および図２の実施例では、板ばね９は、金属から成る別体の構成部材である。図２から判るように、板ばね９は、その一方の端部で、フラップホルダフレーム１の固定切欠き１２内に挿入され、そこで係止されており、これにより、板ばね９は、プラスチック射出成形部材として形成されたフラップホルダフレーム１に不動に配置されている。
【００３６】
図４および図５の実施例では、フラップホルダフレーム１は同様にプラスチック射出成形部材として形成されており、この場合、板ばね９′もプラスチックから成っていて、射出成形によりフラップホルダフレーム１に固着されている。
【００３７】
突設部８を旋回ピン６に対してオフセットして形成することにより、データ媒体をデータ装置のケーシング内に挿入するために、閉鎖フラップ３をその閉鎖位置から変位させることができる。この場合、突設部８は旋回運動により板ばね９，９′のプレロードを高める。
【００３８】
閉鎖フラップ３への開放負荷が終了すると、板ばね９，９′は、板ばね９，９′のプリロードが最小になるまで突設部８を再び戻し旋回させ、この場合、同時に閉鎖フラップ３はその閉鎖位置をとる。閉鎖フラップ３がこの閉鎖位置を越えて旋回するような場合には、板ばね９，９′のプレロード力は再び増加することになる。このことはやはり閉鎖フラップ３の、閉鎖位置への戻し旋回を生ぜしめることになる。
【図面の簡単な説明】
【００３９】
【図１】閉鎖フラップ装置の第１の実施例の部分斜視図である。
【図２】図１の閉鎖フラップ装置の板ばねの斜視図である。
【図３】閉鎖フラップ装置の第２の実施例の部分斜視図である。
【図４】図３の閉鎖フラップ装置のフラップホルダフレームの部分斜視図である。
【図５】図１および図３の閉鎖フラップ装置の閉鎖フラップの部分斜視図である。
【符号の説明】
【００４０】
１  フラップホルダフレーム、  ２  挿入開口、  ３  閉鎖フラップ、  ４  支承切欠き、  ５  底部、  ６  旋回ピン、  ７  旋回軸線、  ８  突設部、  ９，９′  板ばね、  １０  負荷面、  １１  ばね力方向、  １２  固定切欠き
【図１】
2007220275.tif 000003
【図２】
2007220275.tif 000004
【図３】
2007220275.tif 000005
【図４】
2007220275.tif 000006
【図５】
2007220275.tif 000007